(57)【要約】【課題】  短時間でパラメータを変更可能なｘＤＳＬ通信システム、通信装置、パラメータ変更方法を提供する。【解決手段】  第１の通信装置１１は、変更しても変復調部の調整が不要なパラメータの変更要求が生じると、そのパラメータの設定変更を示す制御データをユーザデータに多重して送信する。第２の通信装置１２は、第１の通信装置１１からパラメータの設定変更を示す制御データを受信すると、自身の用いるパラメータを変更し、その制御データに対する応答を示す制御データを第１の通信装置に送信する。第１の通信装置１１は、制御データに対する応答を示す制御データを受信すると、自身の用いるパラメータを変更する。【選択図】      図１
2007006206.tif 000002
【特許請求の範囲】
【請求項１】
入力されたユーザデータを、装置間の制御データの多重が可能な形式の送信データにし、該送信データを、自身の備える変復調部を介して対向装置に送信し、また前記対向装置から該変復調部を介して受信データを受信し、該受信データに制御データが多重されていれば該制御データと前記受信データに含まれるユーザデータとを分離して該ユーザデータを出力しており、変更しても前記変復調部の調整が不要なパラメータの変更要求が生じると、該パラメータの設定変更を示す制御データを前記送信データに多重し、前記変復調部を介して前記対向装置に送信し、前記受信データにて、該制御データに対する応答の制御データを受信すると、自身の用いる前記パラメータを変更する第１の通信装置と、
前記第１の通信装置と対向し、入力されたユーザデータを、制御データの多重が可能な形式の送信データにし、該送信データを、自身の備える変復調部を介して前記第１の通信装置に送信し、また該第１の通信装置から該変復調部を介して受信データを受信し、該受信データに制御データが多重されていれば該制御データと前記受信データに含まれるユーザデータを分離して該ユーザデータを出力しており、前記第１の通信装置からの受信データにて前記パラメータの設定変更を示す制御データを受信すると、自身の用いる前記パラメータを変更し、該制御データに対する応答の制御データを前記送信データに多重し、前記変復調部を介して前記第１の通信装置に送信する第２の通信装置とを有するｘＤＳＬ通信システム。
【請求項２】
前記第１の通信装置は、前記送信データをインターリーブして前記第２の通信装置に送信し、該第２の通信装置からの前記受信データをデインターリーブし、得られたデータに制御データが多重されていれば該制御データと前記ユーザデータを分離して該ユーザデータを出力しており、
前記第２の通信装置は、前記送信データをインターリーブして前記第１の通信装置に送信し、該第１の通信装置からの前記受信データをデインターリーブし、得られたデータに制御データが多重されていれば該制御データと前記ユーザデータを分離して該ユーザデータを出力しており、
変更しても変復調部の調整が不要な前記パラメータは、前記インターリーブまたは前記デインターリーブで使用されるインターリーバパラメータである、請求項１記載のｘＤＳＬ通信システム。
【請求項３】
前記第１の通信装置でのインターリーブおよび前記第２の通信装置でのデインターリーブに用いる第１のインターリーバパラメータと、前記第２の通信装置でのインターリーブおよび前記第１の通信装置でのデインターリーブに用いる第２のインターリーバパラメータとが互いに独立に設定可能であり、
前記第１の通信装置は前記第１のインターリーバパラメータと前記第２のインターリーバパラメータを別々に前記第２の通信装置に通知する、請求項２記載のｘＤＳＬ通信システム。
【請求項４】
前記第１の通信装置と前記第２の通信装置のいずれか一方がセンタ装置であり、他方がリモート装置である、請求項１〜３のいずれか１項に記載のｘＤＳＬ通信システム。
【請求項５】
対向装置との間で送受信する信号の変復調を行う変復調部と、
入力されたユーザデータを、装置間の制御データの多重が可能な形式の送信データにし、該送信データを前記変復調部を介して前記対向装置に送信する多重部と、
前記対向装置から前記変復調部を介して受信データを受信し、該受信データに制御データが多重されていれば該制御データと前記受信データに含まれるユーザデータとを分離して該ユーザデータを出力する分離部と、
変更しても前記変復調部の調整が不要なパラメータの変更要求が生じると、前記多重部に、該パラメータの設定変更を示す制御データを前記送信データに多重するように指示し、前記分離部にて、該制御データに対する応答の制御データが受信されると、自装置で用いる前記パラメータを変更する制御部とを有するｘＤＳＬ通信装置。
【請求項６】
対向装置との間で送受信する信号の変復調を行う変復調部と、
入力されたユーザデータを、装置間の制御データの多重が可能な形式の送信データにし、該送信データを前記変復調部を介して前記対向装置に送信する多重部と、
前記対向装置から前記変復調部を介して受信データを受信し、該受信データに制御データが多重されていれば該制御データと前記受信データに含まれるユーザデータとを分離して該ユーザデータを出力する分離部と、
変更しても前記変復調部の調整が不要なパラメータの変更要求を示す制御データが前記分離部にて受信されると、自装置の用いる前記パラメータを変更し、該制御データに対する応答の制御データを前記送信データに多重するように前記多重部に指示する制御部とを有するｘＤＳＬ通信装置。
【請求項７】
前記多重部からの前記送信データをインターリーブして前記対向装置に送信するインターリーバと、
該対向装置からの前記受信データをデインターリーブして前記分離部に送信するデインターリーバとをさらに有し、
変更しても前記変復調部の調整が不要な前記パラメータは、前記インターリーバまたは前記デインターリーバで使用されるインターリーバパラメータである、請求項５または６に記載のｘＤＳＬ通信装置。
【請求項８】
前記インターリーバで用いる第１のインターリーバパラメータと、前記デインターリーバで用いる第２のインターリーバパラメータとが互いに独立に設定可能である、請求項７記載のｘＤＳＬ通信装置。
【請求項９】
センタ装置またはリモート装置のいずれかとして用いられる、請求項５〜８のいずれか１項に記載のｘＤＳＬ通信装置。
【請求項１０】
第１の通信装置と第２の通信装置が、ユーザデータを、装置間の制御データの多重が可能な形式の送信データにして、該送信データを変復調して相互に送信し合い、相手からの受信データに制御データが多重されていれば該制御データと前記受信データに含まれるユーザデータとを分離して該ユーザデータをそれぞれ出力する、ｘＤＳＬ通信システムにおいて、前記第１の通信装置および前記第２の通信装置で用いるパラメータを変更するためのパラメータ変更方法であって、
前記第１の通信装置にて、変更しても変復調部の調整が不要なパラメータの変更要求が生じると、前記第１の通信装置が、該パラメータの設定変更を示す制御データを前記第２の通信装置に送信するステップと、
前記第２の通信装置が、前記第１の通信装置から前記パラメータの設定変更を示す制御データを受信すると、自身の用いる前記パラメータを変更し、該制御データに対する応答の制御データを前記第１の通信装置に送信するステップと、
前記第１の通信装置が、該制御データに対する応答の制御データを前記第２の通信装置から受信すると、自身の用いる前記パラメータを変更するステップとを有するパラメータ変更方法。
【請求項１１】
前記第１の通信装置は、前記送信データをインターリーブして前記第２の通信装置に送信し、該第１の通信装置からの前記受信データをデインターリーブし、得られたデータに制御データが多重されていれば該制御データと前記ユーザデータを分離して該ユーザデータを出力しており、
前記第２の通信装置は、前記送信データをインターリーブして前記第１の通信装置に送信し、該第１の通信装置からの前記受信データをデインターリーブし、得られたデータに制御データが多重されていれば該制御データと前記ユーザデータを分離して該ユーザデータを出力しており、
変更しても変復調部の調整が不要な前記パラメータは、前記インターリーブまたは前記デインターリーブで使用されるインターリーバパラメータである、請求項１０記載のパラメータ変更方法。
【請求項１２】
前記第１の通信装置でのインターリーブおよび前記第２の通信装置でのデインターリーブで用いる第１のインターリーバパラメータと、前記第２の通信装置でのインターリーブおよび前記第１の通信装置でのデインターリーブで用いる第２のインターリーバパラメータとが互いに独立に設定可能であり、
前記第１の通信装置は前記第１のインターリーバパラメータと前記第２のインターリーバパラメータを別々に前記第２の通信装置に通知する、請求項１１記載のパラメータ変更方法。
【請求項１３】
前記第１の通信装置と前記第２の通信装置のいずれか一方がセンタ装置であり、他方がリモート装置である、請求項１１〜１２のいずれか１項に記載のパラメータ変更方法。
【発明の詳細な説明】
【技術分野】
【０００１】
本発明は、ｘＤＳＬ通信システムに関し、特に、ｘＤＳＬ通信装置のパラメータを変更する方法に関する。
【背景技術】
【０００２】
ｘＤＳＬ通信では、送信装置にて送信データのデータ列を変換して送信し、受信装置にて受信データのデータ列を元に戻すことが行われる。これらはインターリーブおよびデインターリーブと呼ばれる。送信装置のインターリーバにて一定量のデータを一時蓄積し、蓄積したデータを分散させて異なるデータ列に変換することにより、伝送路上で生じるエラーに対する受信装置による誤り訂正の能力が向上する。
【０００３】
ｘＤＳＬ通信のインターリーバおよびデインターリーバにはパラメータの設定が必要とされる。例えば、蓄積するデータ量はパラメータとなる。パラメータを設定する際にはトレーニングが行われる（特許文献１参照）。例えば、ＡＤＳＬであれば、パラメータの設定および変更は、ＩＴＵ−Ｔ  Ｇ．９９２．１およびＧ．９９２．２などの勧告に定められている。ｘＤＳＬ通信システムのセンタ装置およびリモート装置は設定されたパラメータに基づきインターリーブおよびデインターリーブを行って相互に通信する。
【０００４】
図７は、従来のｘＤＳＬ通信システムの構成例を示すシステム構成図である。図７を参照すると、従来のｘＤＳＬ通信システムはセンタ装置８１、リモート装置８２、および監視装置８３を有している。
【０００５】
センタ装置８１は、ＴＣ（Ｔｒａｎｓｍｉｓｓｉｏｎ  Ｃｏｎｖｅｒｇｅｎｃｅ）部８４、変復調部８５、およびコマンド制御部８６を有している。
【０００６】
ＴＣ部８４は、入力した送信データに対してｘＯＣ（ｘＤＳＬ  Ｏｖｅｒｈｅａｄ  Ｃｈａｎｎｅｌ）を多重し、さらに送信データをパラメータに従って一時的に蓄積しながら異なるデータ列に変換し（インターリーブ）、変復調部８５に送る。また、ＴＣ部８４は、変復調部８５からのインターリーブされた受信データをパラメータに従って元のデータ列に戻し（デインターリーブ）、さらにｘＯＣを分離した受信データを出力する。ｘＯＣは、ＶＤＳＬの場合にはＶＯＣ（ＶＤＳＬ  Ｏｖｅｒｈｅａｄ  Ｃｈａｎｎｅｌ）であり、ＡＤＳＬの場合にはＡＯＣ（ＡＤＳＬ  Ｏｖｅｒｈｅａｄ  Ｃｈａｎｎｅｌ）である。例えばＡＯＣであれば、ＩＴＵ−Ｔ  Ｇ．９９２．１に規定されたビットスワップなどを行うためのオーバヘッドチャネルであり、ユーザデータとは別個に時分割で多重される。
【０００７】
変復調部８５は、ＴＣ部８４からの送信データを変調して伝送路８９に送信する。また、変復調部８５は、伝送路８９からの受信データを復調してＴＣ部８４に送る。
【０００８】
コマンド制御部８６は、監視装置８３からのコマンドで指示されたパラメータの設定あるいは変更をＴＣ部８４に通知する。また、コマンド制御部８６は、パラメータの設定あるいは変更の結果をＴＣ部８４から受けて監視装置８３に通知する。
【０００９】
リモート装置８２は、変復調部８７およびＴＣ部８８を有している。
【００１０】
変復調部８７は、伝送路８９からの受信データを復調してＴＣ部８８に送る。また、変復調部８７は、ＴＣ部８８からの送信データを変調して伝送路８９に送信する。
【００１１】
ＴＣ部８８は、変復調部８７からのインターリーブされた受信データをデインターリーブし、さらにｘＯＣを分離してユーザデータを出力する。また、ＴＣ部８８は、入力した送信データにｘＯＣを多重し、さらに送信データをインターリーブして変復調部８７に送る。
【００１２】
監視装置８３は、センタ装置８１およびリモート装置８２を監視し、またセンタ装置８１およびリモート装置８２に対するパラメータの設定あるいは変更を指示する。
【００１３】
ｘＤＳＬ通信システムでは、既に設定されているインターリーバのパラメータを変更する要求が生じることがある。パラメータの変更は例えば監視装置８３から指示される。
【００１４】
従来のｘＤＳＬ通信装置では、インターリーバのパラメータの変更は再トレーニングにより行われていた。再トレーニングは、回線切断、ハンドシェーク、パラメータ反映、変復調部の調整という一連の手順で行われる。
【００１５】
図８は、従来のｘＤＳＬ通信システムにおけるインターリーバのパラメータを変更する手順を示すシーケンス図である。図８を参照すると、監視装置８３からセンタ装置８１にパラメータ変更が指示されると、まず、センタ装置８１とリモート装置８２は互いに回線を切断する。その後、センタ装置８１とリモート装置８２は互いにハンドシェークを行い、インターリーバのパラメータを反映し、変復調部を調整することで設定を完了させる。
なお、図８はインターリーバのパラメータを変更する手順を示しているが、他の多くのパラメータの変更も同様の手順で行われる。
【特許文献１】特開２００３−３３８８７８号公報
【発明の開示】
【発明が解決しようとする課題】
【００１６】
上述したように、従来のｘＤＳＬ通信システムでは、通信装置のパラメータを変更するとき、様々なパラメータに共通の手順が用いられていた。そのため、パラメータの種類によっては、本来必要とされないはずの動作が行われることで、変更にかかる時間が必要以上に長くなっていた。
【００１７】
本発明の目的は、短時間でパラメータを変更可能なｘＤＳＬ通信システム、通信装置、パラメータ変更方法を提供することである。
【課題を解決するための手段】
【００１８】
上記目的を達成するために、本発明のｘＤＳＬ通信システムは、
入力されたユーザデータを、装置間の制御データの多重が可能な形式の送信データにし、該送信データを、自身の備える変復調部を介して対向装置に送信し、また前記対向装置から該変復調部を介して受信データを受信し、該受信データに制御データが多重されていれば該制御データと前記受信データに含まれるユーザデータとを分離して該ユーザデータを出力しており、変更しても前記変復調部の調整が不要なパラメータの変更要求が生じると、該パラメータの設定変更を示す制御データを前記送信データに多重し、前記変復調部を介して前記対向装置に送信し、前記受信データにて、該制御データに対する応答の制御データを受信すると、自身の用いる前記パラメータを変更する第１の通信装置と、
前記第１の通信装置と対向し、入力されたユーザデータを、制御データの多重が可能な形式の送信データにし、該送信データを、自身の備える変復調部を介して前記第１の通信装置に送信し、また該第１の通信装置から該変復調部を介して受信データを受信し、該受信データに制御データが多重されていれば該制御データと前記受信データに含まれるユーザデータを分離して該ユーザデータを出力しており、前記第１の通信装置からの受信データにて前記パラメータの設定変更を示す制御データを受信すると、自身の用いる前記パラメータを変更し、該制御データに対する応答の制御データを前記送信データに多重し、前記変復調部を介して前記第１の通信装置に送信する第２の通信装置とを有している。
【００１９】
したがって、本発明によれば、変更しても変復調部の調整が不要なパラメータを変更する要求が発生すると、第１の通信装置と第２の通信装置は、回線を切断することなく、ユーザデータに多重した制御データによる通信でパラメータを変更し、変復調部の再調整を行うことなく、パラメータ変更の処理を終了するので、短い時間でパラメータを変更することができる。
【００２０】
また、前記第１の通信装置は、前記送信データをインターリーブして前記第２の通信装置に送信し、該第１の通信装置からの前記受信データをデインターリーブし、得られたデータに制御データが多重されていれば該制御データと前記ユーザデータを分離して該ユーザデータを出力しており、
前記第２の通信装置は、前記送信データをインターリーブして前記第１の通信装置に送信し、該第１の通信装置からの前記受信データをデインターリーブし、得られたデータに制御データが多重されていれば該制御データと前記ユーザデータを分離して該ユーザデータを出力しており、
変更しても変復調部の調整が不要な前記パラメータは、前記インターリーブまたは前記デインターリーブで使用されるインターリーバパラメータであることとしてもよい。
【００２１】
また、前記第１の通信装置でのインターリーブおよび前記第２の通信装置でのデインターリーブに用いる第１のインターリーバパラメータと、前記第２の通信装置でのインターリーブおよび前記第１の通信装置でのデインターリーブに用いる第２のインターリーバパラメータとが互いに独立に設定可能であり、
前記第１の通信装置は前記第１のインターリーバパラメータと前記第２のインターリーバパラメータを別々に前記第２の通信装置に通知することとしてもよい。
【００２２】
また、前記第１の通信装置と前記第２の通信装置のいずれか一方がセンタ装置であり、他方がリモート装置であることとしてもよい。
【発明の効果】
【００２３】
本発明によれば、変更しても変復調部の調整が不要なパラメータを変更する要求が発生すると、回線を切断することなく、ユーザデータに多重した制御データによる通信でパラメータを変更し、変復調部の再調整を行うことなく、パラメータ変更の処理を終了するので、短い時間でパラメータを変更することができる。
【発明を実施するための最良の形態】
【００２４】
本発明を実施するための形態について図面を参照して詳細に説明する。
【００２５】
図１は、本発明の一実施形態によるｘＤＳＬ通信システムの構成を示すシステム構成図である。図１を参照すると、本実施形態のｘＤＳＬ通信システムは、センタ装置１１、リモート装置１２、および監視装置１３を有している。
【００２６】
センタ装置１１とリモート装置１２は、伝送路１９で接続されている。また、本実施形態では、一例として、センタ装置１１は外部のインターネット（不図示）に接続されており、リモート装置１２には外部に家庭のパーソナルコンピュータ（不図示）が接続されている。センタ装置１１とリモート装置１２により、パーソナルコンピュータはインターネット上でユーザデータを送受信することが可能となる。このユーザデータは、具体的にはＷｅｂの閲覧、メールの送受信、ＩＰ電話の音声の送受信等に用いられる。
【００２７】
センタ装置１１は、ＴＣ（Ｔｒａｎｓｍｉｓｓｉｏｎ  Ｃｏｎｖｅｒｇｅｎｃｅ）部１４、変復調部１５、およびコマンド制御部１６を有している。
【００２８】
ＴＣ部１４は、入力した送信データに対してｘＯＣ（ｘＤＳＬ  Ｏｖｅｒｈｅａｄ  Ｃｈａｎｎｅｌ）を多重し、さらに送信データをパラメータに従って一時的に蓄積しながら異なる順序のデータ列に変換し（インターリーブ）、変復調部１５に送る。また、ＴＣ部１４は、変復調部１５からのインターリーブされた受信データをパラメータに従って元のデータ列に戻し（デインターリーブ）、さらにｘＯＣを分離して受信データを出力する。ｘＯＣは、ＶＤＳＬの場合にはＶＯＣ（ＶＤＳＬ  Ｏｖｅｒｈｅａｄ  Ｃｈａｎｎｅｌ）であり、ＡＤＳＬの場合にはＡＯＣ（ＡＤＳＬ  Ｏｖｅｒｈｅａｄ  Ｃｈａｎｎｅｌ）である。例えばＡＯＣであれば、ＩＴＵ−Ｔ  Ｇ．９９２．１に規定されているビットスワップなどを行うためのオーバヘッドチャネルであり、ユーザデータとは別個に時分割で多重される。
【００２９】
変復調部１５は、ＴＣ部１４からの送信データを変調して伝送路１９に送信する。また、変復調部１５は、伝送路１９からの受信データを復調してＴＣ部１４に送る。
【００３０】
コマンド制御部１６は、監視装置１３からのコマンドで指示されたパラメータの設定あるいは変更をＴＣ部１４に通知する。また、コマンド制御部１６は、パラメータの設定あるいは変更の結果をＴＣ部１４から受けて監視装置１３に通知する。
【００３１】
また、リモート装置１２は、変復調部１７およびＴＣ部１８を有している。
【００３２】
変復調部１７は、伝送路１９からの受信データを復調してＴＣ部１８に送る。また、変復調部１７は、ＴＣ部１８からの送信データを変調して伝送路１９に送信する。
【００３３】
ＴＣ部１８は、変復調部１７からのインターリーブされた受信データをデインターリーブし、さらにｘＯＣを分離してデータを出力する。また、ＴＣ部１８は、入力したデータにｘＯＣを多重し、さらにデータをインターリーブして変復調部１７に送る。
【００３４】
監視装置１３は、センタ装置１１およびリモート装置８２を監視し、またセンタ装置１１およびリモート装置１２に対するパラメータの設定あるいは変更を指示する。
【００３５】
図２は、本実施形態によるセンタ装置およびリモート装置の双方のＴＣ部の詳細な構成を示すブロック図である。
【００３６】
図２を参照すると、センタ装置１１のＴＣ部１４は、ｘＯＣ多重部２０、インターリーバ２１、デインターリーバ２２、ｘＯＣ分離部２３、および制御部２４を有している。
【００３７】
制御部２４は、コマンド制御部１６からの通知に基づいて装置内の制御を行う。例えば、コマンド制御部１６からインターリーバのパラメータの変更を通知されると、制御部２４は、リモート装置１２に対するインターリーバ設定変更を示す制御データをｘＯＣ多重部２０に送る。制御データは、制御のために装置間で送受信されるデータであり、ユーザデータと時分割で多重されてｘＯＣに挿入される。また、制御部２４は、インターリーバ設定変更の指示に対するリモート装置１２からの応答を示す制御データをｘＯＣ分離部２３から受けると、インターリーバ２１およびデインターリーバ２２に対してパラメータの変更を指示する。なお、インターリーバ設定変更の指示あるいは応答などの制御データは、ｘＯＣに多重するために予め定義されているものとする。
【００３８】
ｘＯＣ多重部２０は、入力したユーザデータと、制御部２４から受信した制御データとを所定のヘッダ（ｘＯＣ）を含むフレームに多重してインターリーバ２１に送る。制御部２４からの制御データはフレームのｘＯＣに多重される。
【００３９】
インターリーバ２１は、設定されているパラメータに従って、ｘＯＣ多重部２０からのデータをインターリーブして変復調部１５に送信する。また、インターリーバ２１は、制御部２４からパラメータの変更を指示されると、指示されたパラメータを設定してそれ以降の動作に用いる。
【００４０】
デインターリーバ２２は、設定されているパラメータに従って、変復調部１５からのデータをデインターリーブしてｘＯＣ分離部２３に送信する。また、デインターリーバ２２は、制御部２４からパラメータの変更を指示されると、指示されたパラメータを設定してそれ以降の動作に用いる。
【００４１】
ｘＯＣ分離部２３は、デインターリーバ２２からのデータからユーザデータとｘＯＣの制御データを分離し、制御データを制御部２４に送り、ユーザデータを出力する。
【００４２】
また、リモート装置１２のＴＣ部１８は、デインターリーバ２５、ｘＯＣ分離部２６、ｘＯＣ多重部２７、インターリーバ２８、および制御部２９を有している。
【００４３】
デインターリーバ２５は、センタ装置１１から変復調部１７を介して受信したデータを、設定されているパラメータに従ってデインターリーブしてｘＯＣ分離部２６に送る。また、デインターリーバ２５は、制御部２９からパラメータの変更を指示されると、指示されたパラメータを設定してそれ以降の動作に用いる。
【００４４】
ｘＯＣ分離部２６は、デインターリーバ２５からのデータよりユーザデータとｘＯＣの制御データを分離し、制御データを制御部２９に送り、ユーザデータを出力する。
【００４５】
ｘＯＣ多重部２７は、入力したユーザデータと、制御部２９から受信した制御データとを所定のヘッダ（ｘＯＣ）を含むフレームに多重してインターリーバ２８に送る。制御部２９からの制御データはフレームのｘＯＣに多重される。
【００４６】
インターリーバ２８は、設定されているパラメータに従って、ｘＯＣ多重部２７からのデータをインターリーブして変復調部１７に送信する。また、インターリーバ２８は、制御部２９からパラメータの変更を指示されると、指示されたパラメータを設定してそれ以降の動作に用いる。
【００４７】
制御部２９は、ｘＯＣ分離部２６からの制御データに示された指示に従って装置内の制御を行う。例えば、インターリーバ設定変更を指示する制御データを受けると、制御部２９は、センタ装置１１に対する応答の制御データをｘＯＣ多重部２７に送り、インターリーバ２８およびデインターリーバ２５に対してパラメータの変更を指示する。
【００４８】
図３は、本実施形態によるｘＤＳＬ通信システムにおいてインターリーバのパラメータを変更する手順を示すシーケンス図である。図３を参照すると、監視装置１３からセンタ装置１１にパラメータ変更が指示されると、センタ装置１１およびリモート装置１２は、互いにｘＯＣ通信で制御データを送受信することにより、インターリーバのパラメータを反映して設定を完了させる。
【００４９】
なお、インターリーバのパラメータは、例えばＳＮＲマージンのようなパラメータと異なり、本来、パラメータを変更しても変復調部を再調整する必要の無いパラメータである。本実施形態では、このインターリーバのパラメータは、変更しても変復調部の調整が不要なパラメータの一例として示されている。また、本実施形態のｘＤＳＬ通信システムは、変更に変復調部の再調整が必要なパラメータを変更するとき、従来のｘＤＳＬ通信システムと同様の手順を用いる。
【００５０】
変更に変復調部の調整が必要なパラメータには、例えば変復調部の等化器パラメータがある。等化器パラメータが変更されると、変復調の調整が行われる。変復調部の調整では、調整のための所定の信号が伝送路上に送信される。受信側の装置にて受信信号に基づいて等化器特性を伝送路特性に適応させ、さらに各キャリアへのビットの配分を示すビットアロケーションテーブルを各キャリアの品質に応じて変更する。このような変復調部の調整が双方向について行われる。
【００５１】
図４は、図３に示した手順の詳細を示すシーケンス図である。図４を参照すると、まず、センタ装置１１にて、コマンド制御部１６が監視装置１３からの指示に従ってインターリーバ設定変更をＴＣ部１４の制御部２４に指示すると、制御部２４は、指示されたインターリーバのパラメータを、ｘＯＣ多重部２０、インターリーバ２１、および変復調部１５を介したｘＯＣ通信によりリモート装置１２に通知する。ここで通知されるインターリーバのパラメータは、センタ装置１１からリモート装置１２に向かう下り回線のインターリーバに関するパラメータと、リモート装置１２からセンタ装置１１に向かう上り回線のインターリーバに関するパラメータとの双方を含んでいる。あるいは、上り下り回線の双方で同じパラメータを用いることとしてもよい。
【００５２】
リモート装置１２にて、制御部２９は、変復調部１７、デインターリーバ２５、およびｘＯＣ分離部２６を介したｘＯＣ通信によりセンタ装置１１から通知されたパラメータを保持し、またｘＯＣ多重部２７、インターリーバ２８、および変復調部１７を介したｘＯＣ通信により応答をセンタ装置１１に送る。
【００５３】
センタ装置１１にて、制御部２４は、変復調部１５、デインターリーバ２２、およびｘＯＣ分離部２３を介したｘＯＣ通信により応答を受信すると、変更開始の通知をｘＯＣ通信によりリモート装置１２に送る。
【００５４】
リモート装置１２にて、制御部２９は、センタ装置１１から変更開始の指示を受けると、保持しておいたパラメータをインターリーバ２８およびデインターリーバ２５に反映し、応答をセンタ装置１１に送る。
【００５５】
センタ装置１１にて、制御部２４は、リモート装置１２から応答を受けると、インターリーバ２１およびデインターリーバ２２にパラメータを反映する。
【００５６】
以上説明したように、本実施形態によれば、インターリーバのパラメータを変更する要求が発生すると、センタ装置１１とリモート装置１２は、回線を切断することなく、ｘＯＣ通信を用いた手順でパラメータを変更し、変復調部の再調整を行うことなく、パラメータ変更の処理を終了するので、インターリーバのパラメータを短い時間で変更することができる。
【００５７】
本発明の他の実施形態について説明する。
【００５８】
図５は、本発明の他の実施形態によるｘＤＳＬ通信システムの構成を示すシステム構成図である。図１のシステムとしてはセンタ装置が主導的にパラメータの変更を行う例を示したが、本発明はその構成に限定されるものではない。図５のシステムではリモート装置が主導的にパラメータの変更を行う例が示されている。
【００５９】
図５を参照すると、本実施形態のｘＤＳＬ通信システムも図１のものと同様に、センタ装置３１、リモート装置３２、および監視装置３３を有している。しかし、図３のシステムは、監視装置３３がセンタ装置３１ではなく、リモート装置３２に接続されている点で図１のシステムと構成が異なる。
【００６０】
センタ装置３１は、ＴＣ部３４および変復調部３５を有している。リモート装置３２は、変復調部３６、ＴＣ部３７、およびコマンド制御部３８を有している。監視装置３３はリモート装置３２のコマンド制御部３８に接続されている。
【００６１】
センタ装置３１のＴＣ部３４および変復調部３５、リモート装置３２の変復調部３６およびＴＣ部３７の基本的な動作は図１に示したものと同様である。しかし、監視制御部３３がリモート装置３２のコマンド制御部３８に接続されており、リモート装置３２が主導的にインターリーバのパラメータを変更するので、センタ装置３１とリモート装置３２は図３、４に示したシーケンスとは逆の役割を果たす。
【００６２】
以上説明したように、本実施形態ではリモート装置３２が主導的となるが、図１に示したシステムと同様に、インターリーバのパラメータを短い時間で変更することができる。
【００６３】
本発明のさらに他の実施形態について説明する。
【００６４】
図４では、センタ装置１１がリモート装置１２に上り下り双方の回線のインターリーバのパラメータを一度にリモート装置１２に通知する例を示したが、本発明はこれに限定されるものではない。
【００６５】
図６は、本発明のさらに他の実施形態によるｘＤＳＬ通信システムにおいてインターリーバのパラメータを変更する手順の詳細を示すシーケンス図である。本実施形態のシステムでは、センタ装置１１がリモート装置１２に上りと下りのパラメータを別々に通知するが、他の構成および動作は図１〜４に示したシステムと同様である。
【００６６】
図６を参照すると、まず、センタ装置１１にて、コマンド制御部１６がインターリーバ設定変更をＴＣ部１４の制御部２４に指示すると、制御部２４は、指示されたインターリーバのパラメータのうち、上りのパラメータをｘＯＣ通信によりリモート装置１２に通知する。
【００６７】
リモート装置１２にて、制御部２９は、ｘＯＣ通信によりセンタ装置１１から通知された上りパラメータを保持し、またｘＯＣ通信により応答をセンタ装置１１に送る。
【００６８】
センタ装置１１にて、リモート装置１２から上りパラメータについての応答を受けると、制御部２４は下りのパラメータをｘＯＣ通信によりリモート装置１２に通知する。
【００６９】
リモート装置１２にて、制御部２９は、センタ装置１１から通知された下りパラメータを保持し、応答をセンタ装置１１に送る。
【００７０】
センタ装置１１にて、制御部２４は、下りパラメータについての応答を受信すると、変更開始の通知をリモート装置１２に送る。
【００７１】
リモート装置１２にて、制御部２９は、センタ装置１１から変更開始の指示を受けると、保持しておいた上りパラメータをインターリーバ２８に、下りパラメータをデインターリーバ２５に反映し、応答をセンタ装置１１に送る。
【００７２】
センタ装置１１にて、制御部２４は、リモート装置１２から応答を受けると、上りパラメータをデインターリーバ２２に、下りパラメータをインターリーバ２１に反映する。
【図面の簡単な説明】
【００７３】
【図１】本発明の一実施形態によるｘＤＳＬ通信システムの構成を示すシステム構成図である。
【図２】本実施形態によるセンタ装置およびリモート装置の双方のＴＣ部の詳細な構成を示すブロック図である。
【図３】本実施形態によるｘＤＳＬ通信システムにおいてインターリーバのパラメータを変更する手順を示すシーケンス図である。
【図４】図３に示した手順の詳細を示すシーケンス図である。
【図５】本発明の他の実施形態によるｘＤＳＬ通信システムの構成を示すシステム構成図である。
【図６】本発明のさらに他の実施形態によるｘＤＳＬ通信システムにおいてインターリーバのパラメータを変更する手順の詳細を示すシーケンス図である。
【図７】従来のｘＤＳＬ通信システムの構成例を示すシステム構成図である。
【図８】従来のｘＤＳＬ通信システムにおけるインターリーバのパラメータを変更する手順を示すシーケンス図である。
【符号の説明】
【００７４】
１１、３１    センタ装置
１２、３２    リモート装置
１３、３３    監視装置
１４、３４    ＴＣ部
１５、３５    変復調部
１６、    コマンド制御部
１７、３６    変復調部
１８、３７    ＴＣ部
１９    伝送路
２０    ｘＯＣ多重部
２１    インターリーバ
２２    デインターリーバ
２３    ｘＯＣ分離部
２４    制御部
２５    デインターリーバ
２６    ｘＯＣ分離部
２７    ｘＯＣ多重部
２８    インターリーバ
２９    制御部
３８    コマンド制御部
【図１】
2007006206.tif 000003
【図２】
2007006206.tif 000004
【図３】
2007006206.tif 000005
【図４】
2007006206.tif 000006
【図５】
2007006206.tif 000007
【図６】
2007006206.tif 000008
【図７】
2007006206.tif 000009
【図８】
2007006206.tif 000010